(57)【要約】    【課題】無線式の屋外表示灯を設けた場合に、電波の伝搬状態に変化があっても、確実に無線により遠隔制御可能とする。    【解決手段】無線屋外表示装置１０は、一定時間間隔で定期通報信号を送信する定期通報部を備え、無線監視装置２及び無線中継器１２−１、１２−２は、システム立上げ時に、無線屋外表示装置１０から一定時間間隔で送信される定期通報信号を受信して受信強度を測定する測定部を備える。無線監視装置２は、受信強度の測定結果に基づき、受信強度が最大となる無線監視装置２から無線中継器１２−１、１２−２を経由して無線屋外表示装置１０に至る最適通信ルート又は無線中継器１２−１、１２−２を経由せずに無線屋外表示装置１０に至る最適通信ルートを決定し、異常検出時の監視センター通報で得られた制御電文を最適ルートで無線屋外表示装置１０に送って点灯させる。    【選択図】      図１
2006106995.tif 000002
【特許請求の範囲】
【請求項１】
盗難、火災等の異常を検出して異常検出信号を無線送信するセンサ端末と、
電池電源により駆動され、外部から無線による点灯制御信号を受信して表示灯を点灯する屋外表示装置と、
前記センサ端末からの異常検出信号を受信して警報処理すると共に前記屋外表示装置に点灯制御信号を送信して点灯制御する監視装置と、
前記センサ端末及び屋外表示装置と監視装置との間の伝送信号を中継する１又は複数の中継器と、
を備えた無線監視システムに於いて、
前記屋外表示装置は、一定時間間隔で定期通報信号を送信する定期通報部を備え、
前記監視装置及び中継器は、システム立上げ時に、前記屋外表示装置から一定時間間隔で送信される定期通報信号を受信して受信強度を測定する測定部を備え、
前記監視装置は、前記測定部の測定結果に基づき、受信強度が最大となる前記監視装置から中継器を経由して前記屋外表示装置に至る最適通信ルート又は前記中継器を経由せずに前記屋外表示装置に至る最適通信ルートを決定するルート決定部を備えたことを特徴とする無線監視システム。
【請求項２】
請求項１記載の無線監視システムに於いて、更に、前記監視装置から前記屋外表示装置に点灯制御信号を送信して作動した後に、前記測定部及びルート決定部を動作させることを特徴とする無線監視システム。
【請求項３】
請求項１記載の無線監視システムに於いて、前記監視装置でテスト操作が行われた際に、前記測定部及びルート決定部を動作させることを特徴とする無線監視システム。
【請求項４】
請求項１記載の無線監視システムに於いて、
前記屋外表示装置は、更に、所定の時間間隔毎に電源をオンして間欠的に受信動作を有効にする間欠受信部を備えると共に、前記定期通報部は前記受信動作の停止期間のタイミングで前記定期通報信号を送信しており、
前記監視装置及び中継器の各々は、更に、外部から前記点灯制御信号を受信していた場合、前記屋外表示装置から定期通報信号を受信した時点から前記屋外表示装置における次の受信動作が有効となるタイミングを判定して点灯制御信号を同期送信する同期送信制御部を備えたことを特徴とする無線監視システム。
【請求項５】
盗難、火災等の異常を検出して異常検出信号を無線送信するセンサ端末と、
電池電源により駆動され、外部から無線による点灯制御信号を受信して表示灯を点灯する屋外表示装置と、
前記センサ端末からの異常検出信号を受信して警報処理すると共に前記屋外表示装置に点灯制御信号を送信して点灯制御する監視装置と、
前記センサ端末及び屋外表示装置と監視装置との間の無線による伝送信号を中継する１又は複数の中継器と、
を備えた無線監視システム制御方法に於いて、
システム立上げ時に、前記屋外表示装置から一定時間間隔で送信される定期通報信号を前記監視装置及び中継器の各々で受信して受信強度を測定する測定ステップと、
前記受信強度が最大となる前記監視装置から中継器を経由して前記屋外表示装置に至る最適通信ルート又は中継器を経由せずに前記屋外表示装置に至る最適通信ルートを決定するルート決定ステップと、
を備えたことを特徴とする無線監視システム制御方法。
【請求項６】
請求項５記載の無線監視システム制御方法に於いて、前記監視装置から前記屋外表示装置に点灯制御信号を送信して作動した後に、前記測定ステップ及びルート決定ステップを行うことを特徴とする無線監視システム制御方法。
【請求項７】
請求項５記載の無線監視システム制御方法に於いて、前記監視装置でテスト操作が行われた際に、前記測定ステップ及びルート決定ステップを行うことを特徴とする無線監視システム制御方法。
【請求項８】
請求項５記載の無線監視システム制御方法に於いて、
前記屋外表示装置は、所定の時間間隔毎に受信部の電源をオンして間欠的に受信動作を有効にすると共に、前記受信動作の停止期間のタイミングで前記定期通報信号を送信しており、
前記監視装置及び中継器の各々は、外部から前記点灯制御信号を受信していた場合、前記屋外表示装置から定期通報信号を受信した時点から前記屋外表示装置における次の受信動作が有効となるタイミングを判定して点灯制御信号を同期送信することを特徴とする無線監視システム制御方法。
【発明の詳細な説明】
【技術分野】
【０００１】
本発明は、無線を利用した住宅向けのセキュリティーシステムとなる無線監視システム及び制御方法に関し、特に、電池電源で駆動される無線式の屋外表示装置を備えた無線監視システム及び制御方法に関する。
【背景技術】
【０００２】
従来、検出器で検出した盗難や火災等の異常検出情報を無線で送信し、異常検出情報を中継器を介して又は直接受信機で受信して警報する無線監視システムが知られている。
【０００３】
このような無線警報システムにあっては、情報テーブルから擬似ランダム化された遅延時間に基づき送信を行っているため、受信機側で無線送信器からの無線信号と同時に中継器からの同じ無線信号が受信可能な状態にあっても、受信不能に陥ることなく無線送信器及び中継器からの無線信号を受信機で確実に解読できる。
【０００４】
また、近年においては、単に検出信号を送信するという片方向通信ではなく、機能点検を受信機側から行ったり、表示灯を点灯させたりと、双方向での通信や、携帯電話から、制御を行う遠隔制御システムも導入されている。
【０００５】
更に、従来の無線監視システムは、警備会社が提供するセキュリティサービスを実現するための機器として一般家庭に設置されており、受信機で異常を受信した場合には、警備会社のサービスセンタに自動ダイヤル機能により自動通報し、通報を受けたサービスセンタは係員を異常通報住戸に派遣して必要な対応をとるようにしている。
【０００６】
この場合、現場に出向いた係員が自動通報を行った住戸を容易に確認できるようにするため、無線監視システムを設置している住戸の玄関などの屋外に屋外表示器を設置し、点灯させるようにしている。
【特許文献１】特開平４−３４０１９５
【特許文献２】特開平１０−３３４３７７
【特許文献３】特開平１０−３２６３８４
【発明の開示】
【発明が解決しようとする課題】
【０００７】
とろこで、このような従来の無線警報システムにあっては、住戸内に設置している検出器、中継器及び受信機については無線通信により信号をやり取りしているが、屋外表示灯については、通常、発光輝度を十分に得るためにキセノン管を使用しており、屋外表示灯を例えば受信機に信号線接続して発光駆動させている。
【０００８】
このため屋外表示灯を受信機に接続するための配線作業が必要となり、室内での無線機器の設置に比べ、屋外表示灯の設置に手間と時間がかかり、システムの普及を妨げる要因となっている。
【０００９】
そこで本願発明者にあっては、屋外表示灯として発光ダイオードを使用し、更に電池電源で通常使用５年の寿命を保証した無線式の屋外表示灯を新たなに開発し、屋外表示灯の設置が室内の無線機器と同様にできるようにした無線監視システムを実用化している。
【００１０】
しかし、無線式の屋外表示灯を使用する場合、室内に設置している無線機器に比べて通信条件が悪くなる場合が多く、設置時に通信状態が確保されて正常に遠隔制御できていても、その後、間仕切りの変更により電波の送受信状態が変動したり、受信機や中継器のレイアウトの変更などにより室内の無線機器を当初の設置位置から移動した場合、電波の送受信状態が変動し、受信機からの無線による指示で屋外表示灯が遠隔制御できなくなる恐れもある。
【００１１】
本発明は、無線式の屋外表示灯を設けた場合に、電波の伝搬状態に変化があっても、確実に無線により遠隔制御可能とする無線監視システム及び制御方法を提供することを目的とする。
【課題を解決するための手段】
【００１２】
この目的を達成するため本発明は次のように構成する。本発明は、盗難、火災等の異常を検出して異常検出信号を無線送信するセンサ端末と、電池電源により駆動され、外部から無線による点灯制御信号を受信して表示灯を点灯する屋外表示装置と、センサ端末からの異常検出信号を受信して警報処理すると共に屋外表示装置に点灯制御信号を無線送信して点灯制御する監視装置と、センサ端末及び屋外表示装置と監視装置との間の伝送信号を中継する１又は複数の中継器とを備えた無線監視システムに於いて、屋外表示装置は、一定時間間隔で定期通報信号を送信する定期通報部を備え、監視装置及び中継器は、システム立上げ時に、屋外表示装置から一定時間間隔で送信される定期通報信号を受信して受信強度を測定する測定部を備え、監視装置は、測定部の測定結果に基づき、受信強度が最大となる監視装置から中継器を経由して屋外表示装置に至る最適通信ルート又は中継器を経由せずに屋外表示装置に至る最適通信ルートを決定するルート決定部を備えたことを特徴とする。
【００１３】
また無線監視システムは、更に、監視装置から屋外表示装置に点灯制御信号を送信して作動した後に、測定部及びルート決定部を動作させる。更に、監視装置でテスト操作が行われた際にも、測定部及びルート決定部を動作させる。
【００１４】
本発明の無線監視システムにあっては、更に、前記屋外表示装置は、所定の時間間隔毎に電源をオンして間欠的に受信動作を有効にする間欠受信部を備えると共に、定期通報部は受信動作の停止期間のタイミングで定期通報信号を送信しており、監視装置及び中継器の各々は、更に、外部から点灯制御信号を受信していた場合、屋外表示装置から定期通報信号を受信した時点から屋外表示装置における次の受信動作が有効となるタイミングを判定して点灯制御信号を同期送信する同期送信制御部を備えたことを特徴とする。
【００１５】
本発明は無線監視システム制御方法を提供する。即ち、本発明は、盗難、火災等の異常を検出して異常検出信号を無線送信するセンサ端末と、電池電源により駆動され、外部から無線による点灯制御信号を受信して表示灯を点灯する屋外表示装置と、センサ端末からの異常検出信号を受信して警報処理すると共に屋外表示装置に点灯制御信号を送信して点灯制御する監視装置と、センサ端末及び屋外表示装置と監視装置との間の無線による伝送信号を中継する１又は複数の中継器とを備えた無線監視システム制御方法に於いて、
システム立上げ時に、屋外表示装置から一定時間間隔で送信される定期通報信号を監視装置及び中継器の各々で受信して受信強度を測定する測定ステップと、
受信強度が最大となる受信機から中継器を経由して屋外表示装置に至る最適通信ルート又は中継器を経由せずに屋外表示装置に至る最適通信ルートを決定するルート決定ステップと、
を備えたことを特徴とする。尚、本発明の無線監視システム制御方法の詳細は、本発明の無線監視システムと基本的に同じになる。
【発明の効果】
【００１６】
本発明によれば、室内に設置された監視装置や中継器に対し無線伝搬条件が厳しくなる屋外表示装置との通信につき、システム立上げ時に屋外表示装置からの信号送信に対し監視装置及び中継器で受信強度を測定し、最大受信電界が得られる最適ルートを設定して、監視装置から直接または中継器を経由して点灯制御信号を送信して遠隔点灯させており、確実に屋外表示装置を異常検出時に作動させることができる。
【００１７】
また室内の無線機器の配置変更で当初の無線伝搬状態が変化した場合であっても、点灯制御信号を送信した後やテスト操作時に、改めて受信強度の測定に基づく最適ルートの決定が行われるため、当初の無線伝搬状態が変化した場合であっても、変化後の無線伝搬状態に対応した最適ルートが設定され、確実に屋外表示装置の遠隔制御ができる。
【００１８】
更に、屋外表示装置は、電池の消耗を抑えために受信動作を間欠的に行っており、点灯制御信号の送信タイミングを間欠受信動作に同期させないと遠隔点灯制御ができないが、本発明にあっては、間欠受信動作と定期通報信号の送信タイミングが固定関係にあることから、定期通報信号を監視装置及び中継器で受信して点灯制御信号の同期送信タイミングを作り出しており、特別な同期信号を必要とすることなく定期通報信号を利用して間欠受信動作に合わせて点灯制御信号を屋外表示装置に同期送信して確実に遠隔点灯することができる。
【発明を実施するための最良の形態】
【００１９】
図１は住宅向けセキュリティシステムとして住戸に設置した本発明による無線監視システムの説明図である。図１において、住戸１は例えば２階建の住宅であり、１階に受信機として機能する無線監視装置２を設置しており、無線監視装置２には通報装置３が接続され、通報装置３は通信回線４を介して、例えば自動ダイヤル通報により通報センタに異常検出情報を通信することができる。なお、無線監視装置２に対し必要に応じてホームセキュリティ受信機を接続して警報表示させることもできる。
【００２０】
１階天井部にはセンサ端末として無線火災センサ５が設置され、また２階天井部にも無線火災センサ５が設置され、更に２階については壁際に無線人体センサ６が設置され、更に窓の部分に無線接点センサ７が設置されている。
【００２１】
無線接点センサ７はマグネットスイッチ８を接続しており、マグネットスイッチ８に対しては窓側にマグネット９が装着されており、窓を開くとマグネットスイッチ８がオフとなって、無線接点センサ７で接点変化を検出し、検出信号を無線送信する。
【００２２】
無線火災センサ５は煙感知器や熱感知器に無線送信機能を設けており、火災を検出すると火災検出信号を無線送信する。無線人体センサ６は人体の発する熱線を検知する熱線センサに無線送信機能を設けており、警戒エリアに人が侵入すると、これを検出して侵入者検出信号を無線で送信する。
【００２３】
住戸１の１階屋外の例えば玄関扉の近傍には、屋外表示装置１０が設置されている。無線屋外表示装置１０は警告灯１１を備えており、内蔵電池を電源として駆動され、無線監視装置２からの発光制御電文を受信して警告灯１１の点灯制御を行う。
【００２４】
無線屋外表示装置１０の警告灯１１の点灯制御は、無線監視装置２で例えば無線火災センサ５からの火災検出電文を受信し、これを通報装置３により通報センタに通報し、通報センタからの応答による点灯制御指令を受けて点灯制御を行う。
【００２５】
通報センタにあっては、無線監視装置２から例えば火災検出通報を受けた場合には、直ちに係員を通報住戸に派遣することとなり、この場合に無線屋外表示装置１０が通報センタからの制御指示により警告灯１１の点灯制御を行っていることで、派遣された係員は通報住戸を外部から容易に確認することができる。
【００２６】
更に住戸１の１階には無線中継器１２−１が設置され、また２階には無線中継器１２−２が設置されている。無線中継器１２−１、１２−２は、無線火災センサ５、無線人体センサ６及び無線接点センサ７からの異常検出等に基づく上り電文信号を受信して再生中継する。再生中継は、受信信号から電文データを復調した後に、電文データを変調して送信することになる。また無線監視装置２から無線屋外表示装置１０に対する発光制御電文を含む下り電文を受信した場合にも同様に再生中継する。
【００２７】
ここで無線中継器１２−１、１２−２は、受信信号から電文データを復調して保存した後、予め定めた異なる遅延時間ＴＤ１、ＴＤ２が経過した時点で保存している電文データを変調して送信している。
【００２８】
図２は図１の無線監視装置２から無線屋外表示装置１０に下り電文を無線中継器１２−１、１２−２を経由して送信する際のタイムチャートである。
【００２９】
図２において、無線中継器１２−１には遅延時間ＴＤ１が設定され、また無線中継器１２−２にはこれより長い遅延時間ＴＤ２が設定されている。無線監視装置２が時刻ｔ１で下り電文を送信すると、この下り電文は無線中継器１２−１、１２−２のそれぞれで受信復調され、電文データが保存される。無線中継器１２−１は、受信時刻ｔ１から遅延時間ＴＤ１を経過した時刻ｔ２で、受信保持している電文データを変調して送信する。
【００３０】
一方、無線中継器１２−２にあっては、電文受信時刻ｔ１から遅延時間ＴＤ２を経過した時刻ｔ３で、受信保持している電文データを変調して送信する。
【００３１】
このため無線屋外表示装置１０にあっては、時刻ｔ１、ｔ２、ｔ３のそれぞれで同じ電文を受信することになるが、最初に受信できた電文を有効とし、その後の電文は破棄する。また無線屋外表示装置１０には３つの異なる伝播経路により電文が受信しており、時刻ｔ１、ｔ２の電文が伝播経路による減衰で受信不能であったとすると、時刻ｔ３で無線中継器１２−２から送信された電文を受信して処理することになる。
【００３２】
再び図１を参照するに、図１の無線監視システムにあっては、無線監視装置２から通報センタの指示に基づいて送信する発光制御のための下り電文について、無線監視装置２から無線屋外表示装置１０に至る無線中継器１２−１、１２−２を含む伝播経路につき、受信強度が最大となる最適ルートを予め決定し、この最適ルートに従って発光制御電文を送信するようにしている。
【００３３】
無線監視装置２から無線屋外表示装置１０に対する下り電文となる発光制御電文を伝播させる最適ルートの決定は、無線屋外表示装置１０が一定時間間隔例えば６分間隔で送信している定期通報電文を無線中継器１２−１、１２−２及び無線監視装置２で受信した際に受信強度を測定し、最大受信強度となるルートを最適ルートに決定する。
【００３４】
決定された最適ルートに従った発光制御電文を伝送するためには、送信元識別子である送信元ＩＤを最適ルート上の機器に設定登録し、電文受信時に受信電文の送信元ＩＤと登録送信元ＩＤを比較して一致した場合にのみ、これを有効電文として受信して中継又は処理することで、無線監視装置２からの発光制御電文を最適ルートに従って無線屋外表示装置１０に送ることができる。
【００３５】
ここで図１の無線監視システムに設けている無線監視装置２、無線火災センサ５、中継器１２−１及び無線屋外表示装置１０の回路構成を説明すると次のようになる。
【００３６】
図３は図１の無線監視装置２のブロック図である。図３において、無線監視装置２は、ＣＰＵ１３、アンテナ１５を備えた送受信モジュール１４、ＭＳＫ変復調器１６、ＩＤ記憶部１７、ＬＥＤ表示部１８、定電圧回路１９、電源電圧監視部２０及びインターフェース２１を備えており、インターフェース２１に対し通報装置３を接続している。
【００３７】
ＣＰＵ１３にはプログラム制御により実現される機能として、異常監視部２２、受信強度測定部２３及び最適ルート決定部２４を設けている。異常監視部２２は図１の無線火災センサ５、無線人体センサ６または無線接点センサ７から送信された異常検出電文を受信し、通報装置３により異常検出情報を監視センタに通報する。なお、必要に応じて無線監視装置２に対してはホームセキュリティ用の受信機が外部接続され、この受信装置に対し異常検出信号を出力することで警報出力を行わせることも可能である。
【００３８】
受信強度測定部２３は、後の説明で明らかにする無線屋外表示装置１０から６分間隔で送信される定期通報電文の受信で送受信モジュール１４から出力される受信強度信号を測定結果として読み出し、また無線中継器１２−１、１２−２における受信強度の測定結果については受信強度要求電文を送信し、その応答電文により取得する。
【００３９】
最適ルート決定部２４は、受信強度測定部２３で得られた無線監視装置２、無線中継器１２−１、１２−２における定期通報信号の受信強度を比較判定し、同一の機器における複数の受信強度の中の最大の受信強度となるルートを最適ルートに決定し、決定した最適ルートによる発光制御電文の伝送を実現するため、無線中継器１２−１、１２−２及び無線屋外表示装置１０に対し最適ルートによる発光制御電文の受信元ＩＤの設定登録を行う。
【００４０】
送受信モジュール１４は送信回路部と受信回路部を備えており、ＣＰＵ１３よりチャンネル設定信号、送信出力切替信号、送信起動信号、受信起動信号を受けて、送信動作及び受信動作を行っている。
【００４１】
また他の機器から電文を受信した際には受信強度信号がＣＰＵ１３に出力され、ＣＰＵ１３にあっては受信強度測定部２３により、無線屋外表示装置１０からの定期通報電文の受信時にのみ受信強度信号を測定受信強度として取り込む。
【００４２】
ＭＳＫ変復調器１６は、ＣＰＵ１３からの下り電文データをＭＳＫ変調して送受信モジュール１４に入力し、このとき送受信モジュール１４は送信動作状態にあることから、変調されたＭＳＫ変調を電力増幅してアンテナ１５から送信する。また、アンテナ１５で受信した上り信号をＭＳＫ変復調部１６で復調して電文データに変換し、これをＣＰＵ１３に入力して受信電文の解読処理を行わせている。ＩＤ記憶部１７としては例えばＥＥＰＲＯＭなどの不揮発メモリが使用されており、無線監視装置２に予め設定したＩＤコードが記憶されている。
【００４３】
無線監視装置２は図示しない電源回路によりＡＣ１００ボルトの供給を受けて電源電圧ＤＣ５ボルトを出力しており、このＤＣ５ボルトは定電圧回路１９で定電圧化された後、ＣＰＵ１３及び送受信モジュール１４を含む各部の動作電源を出力している。また電源電圧監視部２０はＤＣ５ボルトの電源電圧を監視しており、最初の電源立ち上げ時には電源電圧監視回路２０による電源電圧の検出でリセット信号をＣＰＵ１３に出力してパワーオンリセットを掛けるようにしている。
【００４４】
図４は図１の無線火災センサ５のブロック図である。無線火災センサ５は、ＣＰＵ２５、火災感知器２６を接続した火災信号受信回路２７、アンテナ３０を備えた無線送信モジュール２８、電源制御スイッチ２９、ＩＤ記憶部３１、試験スイッチ３２、駆動回路３３、発報表示灯３４、リチウム電池３５ａ、３５ｂ、電源電圧監視部３７、３８を備えている。
【００４５】
ここでリチウム電池３５ａ、３５ｂはそれぞれ３ボルトの出力であり、電源監視部３７はリチウム電池３５ａの３ボルト出力を監視し、また電源電圧監視部３８はリチウム電池３５ａ、３５ｂの直列接続により得られる６ボルトを監視しており、このうちＣＰＵ２５はリチウム電池３５ｂからの３ボルトで動作し、一方、それ以外の回路部についてはリチウム電池３５ａ、３５ｂの直列接続によるＤＣ６ボルトで動作している。
【００４６】
ＣＰＵ２５には異常検出部３９がプログラム制御による機能として設けられている。異常検出部３９は火災信号受信回路２７で火災感知器２６からの火災信号を受信すると、異常検出内容として火災を示す異常検出電文を作成し、送信動作として電源制御信号により電源制御スイッチ２９をオンして無線送信モジュール２８を動作状態とし、この状態で送信起動信号及び異常検出電文を変調信号として供給し、無線送信モジュール２８により異常検出電文を変調してアンテナ３０から送信する。
【００４７】
なお異常検出部３９にあっては、火災信号受信回路２７から火災感知器２６の発報による最初の火災信号が得られた場合には、まず火災感知器２６の復旧を行い、復旧後に再度火災信号が受信された場合に、火災を示す異常検出電文を送信するようにしている。また図１に示した無線人体センサ６及び無線接点センサ７は、火災信号受信回路２７に対応した回路が各センサ固有の回路となる以外は、無線火災センサ５と同じになる。
【００４８】
図５は図１の無線中継器１２−１のブロック図である。図５において、無線中継器１２−１は、ＣＰＵ４０、送受信モジュール４１、アンテナ４２、ＭＳＫ変復調器４３、ＩＤ記憶部４４、ＬＥＤ表示部４５、電源電圧監視部４９、定電圧回路４８、電源回路４６及び電池４７で構成される。この無線中継器１２−１の回路構成は、図３に示した無線監視装置２における通報装置３を接続するためのインターフェース２１を取り除いたと略同じ回路構成となっている。
【００４９】
ＣＰＵ４０にはプログラム制御により実現される機能として、中継処理部５０、受信強度測定部５１及びルート情報保持部５２が設けられている。中継処理部５０は送受信モジュール４１により電文を受信すると、受信電文を復調して電文データを保持した後に、予め設定した遅延時間ＴＤ１を経過した時点で、保存している電文データを変調して送信する。
【００５０】
受信強度測定部５１は、図１の無線屋外表示装置１０から６分間隔で送信される定期通報電文を受信した際に、送受信モジュール４１から出力される受信強度信号を取り込んで保存し、その後、無線監視装置２より受信強度要求電文を受信すると、保存している受信強度の応答電文を送信する。
【００５１】
ルート情報保持部５２は、図１の無線監視装置２において無線屋外表示装置１０に発光制御電文を送る最適ルートの決定が行われた際に、この最適ルートに対応して無線中継器１２−１が発光制御電文を受信する送信元の送信元ＩＤを設定電文により受け、これを登録保持する。
【００５２】
ルート情報保持部５２に最適ルートとなる送信元ＩＤが登録保持された場合、中継処理部５０は無線屋外表示装置１０に対する発光制御電文を受信した場合、受信電文に含まれる送信元ＩＤとルート情報保持部５２に保持している最適ルートの登録送信元ＩＤとを比較し、両者が一致した場合に、遅延時間ＴＤ１経過後に、受信した発光制御電文を送信する。
【００５３】
一方、発光制御電文を受信した際に電文の送信元ＩＤとルート情報保持部５２に保持している最適ルートの登録送信元ＩＤとが不一致の場合には、受信した発光制御電文は破棄し、再生中継を行わない。
【００５４】
図６は図１の無線屋外表示装置１０のブロック図である。図６において、無線屋外表示装置１０は、ＣＰＵ５３、アンテナ５６を備えた送受信モジュール５４、電源制御スイッチ５５、ＩＤ記憶部５７、試験スイッチ５８、駆動回路５９、定電流回路６０、警告灯１１を備える。
【００５５】
更に電源部としてリチウム電池６１ａ、６１ｂ、電池保護回路６２、電源スイッチ６３ａ、６３ｂ、定電圧回路６４及び電源電圧監視部６５を設けている。リチウム電池６１ａ、６１ｂはそれぞれ３ボルト出力のものを使用しており、リチウム電池６１ｂの３ボルト出力を、定電圧回路６４及び電源スイッチ６３ｂを介してＣＰＵ５３に供給して駆動している。
【００５６】
またリチウム電池６１ａ、６１ｂの直列接続で得られた６ボルトの電源電圧は、電池保護回路６２、更に電源スイッチ６３ａを介して、定電流回路６０及びＣＰＵ５３以外の他の回路部に電源電圧を供給している。
【００５７】
警告灯１１としては複数のＬＥＤを光源として使用しており、この複数のＬＥＤの発光駆動により従来のキセノン管の発光駆動と同等な距離に対する視認性を確保している。また警告灯１１の発光駆動は、ＬＥＤに流す電流を定電流回路６０で定電流化することで、発光輝度の安定と発光駆動に必要とする消費電流の節減を図っている。
【００５８】
ＣＰＵ５３には、そのプログラム制御により実現される機能として、定期通報部６６、間欠受信制御部６７及び発光制御部６８が設けられている。定期通報部６６は、予め定めた一定時間間隔例えば６分間隔で定期通報電文を送受信モジュール５４に出力してアンテナ５６から送信しており、この定期通報電文が図１の無線監視装置２で定期的に受信されることで、電池駆動されている無線屋外表示装置１０が正常に機能していることを確認できる。また無線屋外表示装置１０から送信される定期通報電文は、無線中継器１２−１、１２−２及び無線監視装置２のそれぞれにおいて受信電文の受信強度を測定するための電文として利用される。
【００５９】
間欠受信制御部６７は、電源制御スイッチ５５に対する電源制御信号により、送受信モジュール５４における受信回路部の電源を予め定めた一定時間間隔でオン、オフして間欠受信動作を行わせている。具体的には２分間隔で０．５秒間、受信回路部に対する電源供給をオンすることで間欠受信動作を行わせている。したがって無線屋外表示装置１０に対する外部からの電文の送信は、無線屋外表示装置１０における間欠受信の動作タイミングに同期させるように送信しなければならない。
【００６０】
このような送受信モジュール５４における受信部を間欠動作させることで、受信待機状態におけるリチウム電池６１ａ、６１ｂの消費電力を大幅に節減することができる。
【００６１】
発光制御部６８は、間欠受信制御部６７による受信部のオン状態となるタイミングで受信した無線監視装置２あるいは無線中継器１２−１、１２−２側からの発光制御電文を受信した際に駆動回路５９を動作し、定電流回路６０を介して警告灯１１を点灯駆動する。また点灯後に点灯停止の発光制御電文を受信した際に駆動回路５９による駆動を停止し、警告灯１１を消灯する。
【００６２】
無線屋外表示装置１０はリチウム電池６１ａ、６１ｂを電源として動作しており、送受信モジュール５４における間欠受信、警告灯１１としてＬＥＤを使用した点を含む消費電流の低減により、例えば月１回の割合いで警告灯１１を点灯するとして、電池寿命として５年間を保証しており、実際には７年程度の寿命が達成されている。
【００６３】
図７は図１の無線監視システムで使用する電文フォーマットの説明図である。図７において、電文７０は、フレーム検出コード７１、スタートコード７２、電文長コード７３、通信制御コード７４、送信機器特定コード７５、データコード７６及び誤り検出コード７７で構成されている。
【００６４】
このうち通信制御コード７４については、下側に取り出して示すように、中継器受信強度コード７８、７９、通常／定期通報コード８０、起動コード８１、電文種類コード８２及び通信方向コード８３で構成されている。中継器受信強度コード７８、７９は、図１の２台の無線中継器１２−１、１２−２のそれぞれにつき２ビットコードが割り当てられており、下側に取り出して示すように「００」で中継なし、「０１」で弱、「１０」で中、「１１」で強となる。
【００６５】
無線中継器１２−１、１２−２は、受信電文を再生中継する際に、電文受信で得られた受信強度について、強、中、弱のいずれに該当するか判別して対応する２ビットの中継器受信強度コード７８、７９を電文にセットして送信する。なお、無線中継器１２−１、１２−２を経由しない場合、中継器受信強度コード７８、７９は中継なしの「００」となっている。
【００６６】
この中継器受信強度コード７８、７９は、無線監視装置２から無線屋外表示装置１０に発光制御電文を送る最適ルートを決定するための受信強度の測定に使用するものではなく、無線監視装置２において設置時や点検時などに作業者が受信強度を簡単にモニタするための情報として使用している。
【００６７】
次の通常／定期通報コード８０は、定期通報で「１」、通常時は「０」となる。このため定期通報電文であった場合には、無線中継器１２−１、１２−２及び無線監視装置２は、そのとき得られた受信強度（０〜２５５のアナログ値）をＡ／Ｄ変換により取り込んで受信強度測定情報として保存することになる。
【００６８】
起動コード８１は、起動時に「１」、その他の場合に「０」となる。電文種類コード８２は、通常電文が「０」、設定電文が「１」となる。更に通信方向コード８３は、無線監視装置２から端末側への通信方向が上り方向で「１」となり、端末側から無線監視装置２への通信方向が下り方向で「０」となる。
【００６９】
本発明の無線監視システムにおいて、無線監視装置２から無線屋外表示装置１０に発光制御電文を送るための最適ルートの決定の際の受信強度の応答電文は、電文７０におけるデータコード７６に、定期通報電文の受信時に得られた受信強度値（アナログ値０〜２５５をＡ／Ｄ変換した８ビットデータ）をセットして送信する。
【００７０】
図８は本発明の無線監視システムにおける最適ルート決定のための受信強度測定の様子を示した説明図である。図８において、無線監視装置２に対する端末側として、無線センサ５、無線中継器１２−１、１２−２及び無線屋外表示装置１０を示しており、それぞれ機器識別のためのＩＤコードとしてＩＤ１〜ＩＤ４が設定されている。
【００７１】
無線監視装置２から無線屋外表示装置１０に発光制御電文を送信する最適ルートの決定は、無線屋外表示装置１０から送信される定期通報電文の受信強度の測定に基づいて行われる。
【００７２】
無線屋外表示装置１０が定期通報電文を送信したとすると、この定期通報電文は通信パスＰ１、Ｐ２、Ｐ３のそれぞれにより無線監視装置２、無線中継器１２−１、１２−２で受信され、そのときの受信強度Ｅ１、Ｅ２、Ｅ３となっている。
【００７３】
無線中継器１２−１は、通信パスＰ２による定期通報電文の受信から遅延時間ＴＤ１経過後に定期通報電文を送信し、この定期通報電文は通信パスＰ４、Ｐ５により無線監視装置２及び無線中継器１２−２に送られ、それぞれ受信強度がＥ４、Ｅ５となる。
【００７４】
更に無線中継器１２−２は、通信パスＰ３による定期通報電文の受信から遅延時間ＴＤ２経過後に、通信パスＰ６により定期通報電文を送信し、これにより無線監視装置２は受信強度Ｅ６で受信する。
【００７５】
このような無線屋外表示装置１０からの定期通報電文の送信により、無線監視装置２、無線中継器１２−１、１２−２のそれぞれで異なる時間タイミングで受信された定期通報電文の受信強度Ｅ１〜Ｅ６は、それぞれ送信元ＩＤと共に保存される。
【００７６】
無線監視装置２は、１回の定期通報電文の受信が終了すると、無線中継器１２−１、１２−２に対し受信強度要求電文を送信し、これを受けて無線中継器１２−１、１２−２は、それぞれの遅延時間ＴＤ１、ＴＤ２後に受信強度応答電文を送信し、受信強度応答電文を受け取る。この受信強度応答電文を受けて無線監視装置２は、自分自身の受信強度Ｅ１、Ｅ４、Ｅ６以外に、無線中継器１２−１の受信強度Ｅ２、無線中継器１２−２の受信強度Ｅ３、Ｅ５を測定結果として収集する。
【００７７】
図９は無線監視装置２からの受信強度要求電文に対し、無線中継器１２−１、１２−２が送信する受信強度応答電文の説明図である。図９（Ａ）は無線中継器１２−１の受信強度応答電文７０−１であり、電文中の送信機器特定コード７５−１に無線中継器１２−１のＩＤ２をセットし、次のデータエリア７６−１に受信強度Ｅ２と順番コードｎをセットして、無線監視装置２に送信する。
【００７８】
ここで順番コードｎは無線屋外表示装置１０から送信された定期通報電文の順番を示すコードであり、システム立ち上げ時から送信ごとに１つずつ増加されており、無線中継器１２−１で受信して送信する際に１つインクリメントされ、また無線中継器１２−１で受信されて送信するときに１つインクリメントされる。この順番コードｎを見ることで、無線屋外表示装置１０から直接受信した定期通報電文か、無線中継器１２−１を経由して受信した定期通報電文かを区別することができる。
【００７９】
図９（Ｂ）（Ｃ）は無線中継器１２−２から送信される受信強度応答電文７０−２、７０−３である。受信強度応答電文７０−２は、図８の通信パスＰ３により無線屋外表示装置１０から直接受信した定期通報電文の受信強度Ｅ３をデータエリア７６−２にセットしており、送信機器特定コード７５−２としては送信元となる無線中継器１２−２のＩＤ３がセットされている。またデータエリア７６−２における順番コードはｎであることから、無線屋外表示装置１０から直接受信した定期通報電文の受信強度であることが分かる。
【００８０】
図９（Ｃ）の受信強度応答電文７０−３は、無線中継器１２−２が無線中継器１２−１から通信パスＰ５で受信した定期通報電文についての受信強度Ｅ５をデータエリア７６−３にセットしており、順番コードはｎ＋１であることから、無線中継器１２−１を経由した定期通報電文であることが認識できる。
【００８１】
図１０は図８の無線監視装置２で生成される受信強度測定テーブル、最適ルート決定情報、及び無線中継器と無線屋外表示装置に設定するルート判定情報の説明図である。
【００８２】
図１０（Ａ）は受信強度測定テーブル８４であり、受信強度測定テーブル８４は図８の無線監視装置２で受信した定期通報電文の受信強度Ｅ１、Ｅ４、Ｅ６、及び無線中継器１２−１、１２−２からの応答電文で得られた受信強度Ｅ２、Ｅ３、Ｅ５を、送信元と受信先で定まる２次元テーブルに登録することで作成されている。
【００８３】
この受信強度測定テーブル８４に基づく最適ルートの決定は、受信先を選択し、この受信先に対する送信元が複数あった場合、複数の送信元の受信強度のうちの最大の受信強度を持つ送信元を選択する。
【００８４】
受信先の選択は無線監視装置２から行う。無線監視装置２は送信元として無線屋外表示装置１０、無線中継器１２−１、１２−２を持ち、それぞれの受信強度はＥ１、Ｅ４、Ｅ６となっている。ここで受信強度Ｅ６が最大であったとすると、無線中継器１２−１が最適ルートとして選択される。
【００８５】
続いて最適ルートとして選択された無線中継器１２−２を受信先として送信元を見ると、無線屋外表示装置１０と無線中継器１２−１の２つがあり、それぞれの受信強度はＥ２、Ｅ５となっている。このうち受信強度Ｅ５が大きかったとすると、次の最適ルートとして無線中継器１２−１が選択される。
【００８６】
続いて、選択された無線中継器１２−１を受信先としてテーブルを見ると、送信元は無線屋外表示装置１０のみであることから、無線中継器１２−１が最後の最適ルートの中継点として選択される。
【００８７】
その結果、図１０（Ｂ）に示す最適ルート決定情報８５を得ることができる。この最適ルート決定情報８５は、各機器のＩＤを例えば順番に並べることで設定されており、無線監視装置２、無線中継器１２−２、無線中継器１２−１、無線屋外表示装置１０となる図８の通信パスＰ６、Ｐ５、Ｐ２を下り方向に遡るルートとして決定される。
【００８８】
このように最適ルートが決定されたならば、ルート上の機器に対しルート判定情報を設定登録する。図１０（Ｃ）は無線中継器１２−２に対する中継器ルート判定情報８６であり、コマンド種別を示す発光制御コマンドと最適ルートの送信元である無線監視装置２を示すＩＤ１をセットしている。
【００８９】
図１０（Ｄ）は無線中継器１２−１に対する中継器ルート判定情報８７であり、コマンド種別として発光制御コマンドをセットし、最適ルートの送信元である無線中継器１２−２を示す送信元ＩＤとしてＩＤ３をセットしている。
【００９０】
更に図１０（Ｅ）は、無線屋外表示装置１０に対する屋外表示装置ルート判定情報８８であり、コマンド種別として発光制御コマンドをセットし、送信元として最適ルート上の無線中継器１２−1を示す送信元ＩＤとしてＩＤ２をセットしている。
【００９１】
このような最適ルートの設定により、図８の無線監視装置２から無線屋外表示装置１０に発光制御電文を送信する場合には、無線監視装置２からまず無線中継器１２−２に送信され、続いて無線中継器１２−２から無線中継器１２−１に送信され、最終的に無線中継器１２−１から無線屋外表示装置１０に送信されることになる。
【００９２】
実際には無線監視装置２からの発光制御電文は無線中継器１２−１、１２−２及び無線屋外表示装置１０の全てで受信可能であるが、図１０（Ｃ）（Ｄ）（Ｅ）に示したそれぞれの機器に最適ルートとして決定した送信元のＩＤをルート判定情報として設定しておくことで、受信した発光制御電文の送信元ＩＤが予め保持しているルート判定情報の送信元ＩＤと不一致であれば、その発光送信電文を無視し、一致した場合にのみ発光送信電文を受信保持し、中継送信することとなり、その結果、設定された最適ルートを通って無線監視装置２から無線屋外表示装置１０に発光制御電文が送られることになる。
【００９３】
図１１は図５に示した無線屋外表示装置１０の間欠受信動作及び定期通報送信と、これに対する無線中継器１２−１における発光制御電文の同期送信のタイムチャートである。なお、発光制御電文の同期送信については、無線中継器１２−２及び無線監視装置２も同じになる。
【００９４】
図１１（Ａ）は無線屋外表示装置１０の間欠受信動作であり、時刻ｔ１からｔ２＝０．５秒、受信回路部に対する電源をオンして動作状態とした後、受信回路部に対する電源をオフしている。この時刻ｔ１の受信動作の開始からＴ１時間である２分を経過した時刻ｔ３で再び受信部に対する電源をオンし、０．５秒後にオフする間欠受信動作を繰り返している。
【００９５】
図１１（Ｂ）は無線屋外表示装置１０における定期通報電文の送信動作であり、間欠受信動作におけるオフ期間のタイミングとなる時刻ｔ２で定期通報電文を送信し、時刻ｔ２からＴ３時間となる６分経過後の時刻ｔ５で再び定期通報電文を送信し、これを繰り返している。ここで間欠受信動作と定期通報電文との間には、時刻ｔ３における間欠受信動作の電源オンよりＴ４時間である１分前のタイミングで定期通報電文を送信している。
【００９６】
図１１（Ｃ）は例えば無線中継器１２−１における定期通報電文の受信タイミングであり、図１１（Ｂ）の時刻ｔ２で送信した定期通報電文を同じタイミングで受信している。図１１（Ｄ）は、無線中継器１２−１で既に送信元となる無線監視装置２から発光制御電文を受信して保持していた状態で定期通報電文を受信したときの発光制御電文の同期送信のタイミングである。
【００９７】
即ち図１１（Ｃ）のように、時刻ｔ２で定期通報電文を受信すると、タイマを起動して、Ｔ４時間である１分間の経過を判定し、Ｔ４＝１分が経過した時刻Ｔ４のタイミングで発光制御電文をＴ５時間に亘り送信する。
【００９８】
発光制御電文の送信時間Ｔ５は、図１１（Ａ）の間欠受信動作における受信時間Ｔ２＝０．５秒を超える幅であり、斜線に示す部分に間欠受信動作が重複することで、確実に発光制御電文を同期受信することができる。
【００９９】
ここで本発明が送信する電文は、電文を４回連続送信した後に２秒間の休止期間を空け、その後に２秒間の時間を８等分した再送信タイミングを作り、この再送信のタイミングのいずれか１つをランダムに選択して電文を２回繰り返しており、この結果、図１１（Ｄ）の発光制御電文の送信タイミングと図１１（Ａ）の間欠受信動作の受信期間に若干のずれがあっても、発光制御電文の複数回の連続送信が必ず間欠受信タイミングにあることで発光制御電文を受信することができる。
【０１００】
更に、図１１（Ｃ）（Ｄ）に示した定期通報電文に同期した発光制御電文の同期送信は、定期通報電文を受信した際に既に発光制御電文を受信している機器の全てで行うが、このうち有効に伝送される同期送信された発光制御電文は、既に決定されている最適ルートに従った電文だけであり、無線監視装置２から最終的な送信先である無線屋外表示装置１０に最適ルートを通って伝送される。
【０１０１】
図１２は図３の無線監視装置における監視処理のフローチャートである。図１２において、監視処理は、ステップＳ１で電源投入に伴う初期化処理を行った後、ステップＳ２で電文受信の有無をチェックしている。電文を受信すると、ステップＳ３でセンサの異常検出電文か否かチェックし、異常検出電文であればステップＳ４に進み、必要な場合には警報受信処理を行った後、ステップＳ５で監視センタへ通報を行う。
【０１０２】
この監視センタへの通報に対し、ステップＳ６で監視センタから発光制御指示を受信すると、ステップＳ７で無線屋外表示装置１０に対し発光制御のための制御電文を送信する。また受信電文がステップＳ８で定期通報電文であることが判別されると、ステップＳ９に進み、定期通報処理が行われる。
【０１０３】
なお定期通報電文が受信された際には、そのとき得られた受信強度を送信元ＩＤと共に保存するようになる。ステップＳ１０で異常検出電文、定期通報電文以外の電文であった場合には、ステップＳ１１で、その電文内容に対応した処理を行うことになる。
【０１０４】
図１３は図３の無線監視装置２におけるルート決定タイミング処理のフローチャートである。図１３のルート決定タイミング処理にあっては、ステップＳ１でシステム立ち上げを判別したとき、ステップＳ２で無線屋外表示装置１０の遠隔制御を終了したとき、あるいはステップＳ３でテスト操作を判別した際のいずれかのタイミングで、ステップＳ４に進み、最適ルート決定処理を実行する。
【０１０５】
図１４は図１３のステップＳ４における最適ルート決定処理のフローチャートである。図１４において最適ルート決定処理は、ステップＳ１で無線屋外表示装置１０からの定期通報電文の受信をチェックしており、定期通報電文を受信するとステップＳ２に進み、送受信モジュールから出力されている受信強度を取り込んで送信元ＩＤと共に保存する。
【０１０６】
次にステップＳ３で無線中継器１２−１、１２−２に対し受信強度の測定結果を得るため受信強度要求電文を送信する。この受信強度要求電文に対しステップＳ４で無線中継器からの受信強度応答電文が受信されると、ステップＳ５で受信強度と送信元ＩＤを保存する。
【０１０７】
続いてステップＳ６で全ての無線中継器からの受信強度応答が得られるまで、ステップＳ４からの処理を繰り返し、全ての無線中継器からの受信強度応答が得られると、ステップＳ７に進み、測定回数が例えば１６回に達したか否かチェックする。１６回未満の場合にはステップＳ１に戻り、定期通報電文の受信からの処理を繰り返す。
【０１０８】
測定回数が１６回に達した場合にはステップＳ８に進み、保存している送信元ＩＤごとの１６回分の受信強度の平均値を算出する。これによって図１０（Ａ）に示したような受信強度測定テーブル８４が作成できる。続いて、ステップＳ９で受信強度が最大となるルートを決定した後、ステップＳ１０で最適ルート上に存在する無線中継器及び無線屋外表示装置に対し最適ルートの設定情報を送信して登録する。
【０１０９】
図１５は図５の無線中継器１２−１の中継処理のフローチャートである。なお無線中継器１２−２も同様である。
【０１１０】
図１５において、中継処理は、ステップＳ１で電源投入に伴う初期化処理を行った後、ステップＳ２で定期通報電文の受信をチェックしており、定期通報電文を受信するとステップＳ３で定期通報電文を保存した後、ステップＳ４で定期通報電文の受信で得られている受信強度を送信元ＩＤと共に保存する。続いてステップＳ５で予め設定されている遅延時間ＴＤ１後に定期通報電文を送信する。
【０１１１】
一方、ステップＳ６で受信コード要求電文を受信した際には、ステップＳ７で遅延時間ＴＤ１後に受信強度をデータコードにセットした受信コード応答電文を送信する。またステップＳ８で最適ルート設定電文を受信した場合には、ステップＳ９で最適ルートの送信元ＩＤを登録する。
【０１１２】
更にステップＳ１０で無線屋外表示装置１０に対する発光制御電文を受信した場合には、ステップＳ１１で送信元ＩＤと登録済最適ルートの送信元ＩＤとの一致の有無を判別し、一致した場合には、ステップＳ１２で発光制御電文を保存した後、ステップＳ１３で遅延時間ＴＤ１後に定期通報電文に基づき発光制御電文を、図１１（Ｃ）（Ｄ）のタイムチャートに示したように同期送信する。
【０１１３】
ステップＳ１４で、その他の電文例えば無線火災センサ５、無線人体センサ６あるいは無線接点センサ７からの異常検出電文を受信した場合には、ステップＳ１５で電文を保存した後、ステップＳ１６で遅延時間ＴＤ１後に電文を送信する。
【０１１４】
図１６は図６の無線屋外表示装置１０における屋外表示処理のフローチャートである。この屋外表示処理にあっては、ステップＳ１で電源投入に伴う初期化処理を行った後、ステップＳ２の間欠受信処理とステップＳ３の定期通報処理を実行している。
【０１１５】
図１７は無線屋外表示装置における間欠受信処理のフローチャートである。図１７において、間欠受信処理は、ステップＳ１で受信部の電源をオフした状態で２分経過をチェックしており、２分を経過するとステップＳ２に進み、受信部の電源をオンする。続いて、ステップＳ３で受信部の電源オンから０．５秒の経過をチェックしており、０．５秒を経過するまではステップＳ４で警告灯の制御電文の受信の有無をチェックしている。
【０１１６】
制御電文を受信した場合には、ステップＳ５で警告灯の点灯制御を行う。また警告灯の点灯状態にあっては、警告灯の停止電文を受信することから、これをステップＳ６で判別した場合には、ステップＳ７で警告灯の消灯制御を行う。ステップＳ５で０．５秒の経過を判別した場合には、ステップＳ８に進んで受信部の電源をオフした後、再びステップＳ２で２分の経過を待って受信部の電源をオンする処理を繰り返す。
【０１１７】
図１８は図６の無線屋外表示装置１０における定期通報処理のフローチャートである。図１８の定期通報処理にあっては、ステップＳ１で受信部電源オンから１分経過をチェックしており、１分経過を判別するとステップＳ２に進み、間欠受信との同期を確立し、この時点からステップＳ３の６分経過を判別する処理を開始する。
【０１１８】
ステップＳ３で同期確立から６分経過を判別すると、ステップＳ４に進み、定期通報電文を送信する。以下、ステップＳ３で６分を経過するごとに、ステップＳ４で定期通報電文の送信を繰り返すことになる。
【０１１９】
なお上記の実施形態は無線中継器を２台設置したシステム構成を例にとっているが、無線中継器は１台でもよい。また必要に応じて無線中継器の数を３台以上とすることも可能であるが、住戸単位にシステム設置を行うことを考慮すると、基本的には中継器２台を最大構成とすることが望ましい。
【０１２０】
また上記の実施形態にあっては、無線監視装置２からの無線による伝播経路が最も厳しくなる屋外に設置する無線屋外表示装置１０に対する下り電文となる発光制御電文の伝送について、定期通報電文の受信により得られた受信強度に基づいて最適ルートを決定しているが、これ以外の制御対象機器についても同様に、最適ルートを決定して下り制御電文を送信するようにしてもよい。
【０１２１】
また上記の実施形態は、無線監視装置２と無線中継器からの送信電文の衝突を回避するため、無線中継器に異なる遅延時間を固定設定して遅延中継送信するようにしているが、これ以外に衝突防止を回避する適宜の中継送信を適用することもできる。
【０１２２】
また最適ルートを決定するための各機器における受信強度の測定に無線屋外表示装置１０から定期的に送信される定期通報電文を利用しているが、これ以外に受信強度測定用の専用電文を送信するようにしてもよい。
【０１２３】
また上記の実施形態にあっては、電源立ち上げ時、発光制御電文送信時、更にはテスト操作時に最適ルート決定処理を行うようにしているが、それ以外に無線監視装置２から発光制御電文を無線屋外表示装置１０に伝送しても確認応答が得られずに障害となったときに最適ルート決定処理を行うようにしてもよい。
【０１２４】
また本発明は、その目的と利点を損なうことのない適宜の変形を含み、更に上記の実施形態に示した数値による限定は受けない。
【図面の簡単な説明】
【０１２５】
【図１】住戸に設置した本発明による無線監視システムの説明図
【図２】図１の無線監視システムに設けた無線中継器の固定遅延による中継通信のタイムチャート
【図３】図１の無線監視装置のブロック図
【図４】図１の無線火災センサのブロック図
【図５】図１の無線中継器のブロック図
【図６】図１の無線屋外表示装置のブロック図
【図７】図１の無線監視システムで使用する電文フォーマットの説明図
【図８】本発明の無線監視システムにおける最適ルート決定のための受信強度測定の説明図
【図９】図８の無線中継器から送信される受信強度をデータエリアに格納した定期通報電文の説明図
【図１０】図８の無線監視装置で生成される受信強度測定テーブル、最適ルート決定情報、及び無線中継器と無線屋外表示装置に設定するルート判定情報の説明図
【図１１】無線屋外表示装置の間欠受信及び定期通報とこれに対する無線中継器又は無線監視装置における発光制御電文の同期送信のタイムチャート
【図１２】図３の無線監視装置における監視処理のフローチャート
【図１３】図３の無線監視装置におけるルート決定タイミング処理のフローチャート
【図１４】図１３のステップＳ４における最適ルート決定処理のフローチャート
【図１５】図６の無線中継器の中継処理のフローチャート
【図１６】図６の無線屋外表示装置における屋外表示処理のフローチャート
【図１７】図６の無線屋外表示装置における間欠受信処理のフローチャート
【図１８】図６の無線屋外表示装置における定期通報処理のフローチャート
【符号の説明】
【０１２６】
１：住戸
２：無線監視装置
３：通報装置
４：通信回線
５：無線火災センサ
６：無線人体センサ
７：無線接点センサ
８：マグネットスイッチ
９：マグネット
１０：無線屋外表示装置
１１：警告灯
１２−１、１２−２：無線中継器
１３、２５、４０、５３：ＣＰＵ
１４、２８、４１、５４：送受信モジュール
１５、３０、４２、５６：アンテナ
１６、４３：ＭＳＫ変復調器
１７、３１、４４、５７：ＩＤ記憶部
１８、４５：ＬＥＤ表示部
１９、４８、６４：定電圧回路
２０、３７、３８、４９、６５：電源電圧監視部
２１：インターフェース
２２：異常監視部
２３、５１：受信強度測定部
２４：最適ルート決定部
２６：火災感知器
２７：火災信号受信回路
２９、５５：電源制御スイッチ
３２、５８：試験スイッチ
３３：駆動回路
３４：発報表示灯
３５ａ、３５ｂ、６１ａ、６１ｂ：リチウム電池
３６、６３ａ、６３ｂ：電源スイッチ
３９：異常検出部
４６：電源回路
４７：電池
５０：中継処理部
５２：ルート情報保持部
５９：駆動回路
６０：定電流回路
６２：電池保護回路
６６：定期通報部
６７：間欠受信制御部
６８：発光制御部
７０：電文
７０−１〜７０−３：受信強度応答電文
８４：受信強度測定テーブル
【図１】
2006106995.tif 000003
【図２】
2006106995.tif 000004
【図３】
2006106995.tif 000005
【図４】
2006106995.tif 000006
【図５】
2006106995.tif 000007
【図６】
2006106995.tif 000008
【図７】
2006106995.tif 000009
【図８】
2006106995.tif 000010
【図９】
2006106995.tif 000011
【図１０】
2006106995.tif 000012
【図１１】
2006106995.tif 000013
【図１２】
2006106995.tif 000014
【図１３】
2006106995.tif 000015
【図１４】
2006106995.tif 000016
【図１５】
2006106995.tif 000017
【図１６】
2006106995.tif 000018
【図１７】
2006106995.tif 000019
【図１８】
2006106995.tif 000020